(57)【要約】      （修正有）【課題】モニタ、光制御システム及び照明器具制御方法を提供する。【解決手段】光制御システムにおいて、第1の配線端子群２１１と、第2の配線端子群２１２と、接地端子２１３と、を含むスレーブモニタ２０２であって、第1の配線端子群は、第1の配線端子２１６と第２の配線端子２１７とを含む。第1の配線端子は、ケーブルの導線に接続し、第２の配線端子は、絶縁トランス２０６の一次コイル２１８の一端に接続する。第2の配線端子群は、第３の配線端子２１９と第４の配線端子２２０とを含む。第３の配線端子はケーブルの導線に接続する。第４の配線端子は、絶縁トランスの一次コイルの他端に接続する。接地端子はケーブルの接地媒体２１０に接続する。スレーブモニタがケーブルを用いて電力線搬送波信号を直接受信するので、信号減衰を回避する。【選択図】図２
2019153584.tif 000002
【特許請求の範囲】
【請求項１】
第1の配線端子群、第2の配線端子群、接地端子、第1の電源端子、および第2の電源端子を含むモニタであって、
前記第1の配線端子群は、第1の配線端子および第2の配線端子を含み、前記第1の配線端子はケーブルの導線に接続するように構成され、前記第2の配線端子は、絶縁トランスの第1の一次配線端子に接続するように構成され、
前記第2の配線端子群は、第3の配線端子および第4の配線端子を含み、前記第3の配線端子は前記ケーブルの前記導線に接続するように構成され、前記第4の配線端子は、前記絶縁トランスの第2の一次配線端子に接続するように構成され、
前記接地端子は前記ケーブルの接地媒体に接続するように構成され、
前記第1の電源端子は前記絶縁トランスの二次出力端子に接続するように構成され、前記第2の電源端子は照明器具に接続するように構成される、モニタ。
【請求項２】
光制御モジュール、コントローラ、および電力線通信（PLC）モジュールをさらに含み、
前記PLCモジュールは、デジタル通信ポートおよび搬送波通信ポートを含み、前記デジタル通信ポートは前記コントローラに接続され、前記搬送波通信ポートは、前記第1の配線端子および前記接地端子に接続され、前記PLCモジュールは、復調を通して、前記ケーブル上で送信された第1の電力線搬送波信号から制御信号を取得し、前記制御信号を前記コントローラに送信するように構成され、
前記コントローラは、前記光制御モジュールに接続され、前記制御信号に基づいて前記光制御モジュールを制御するように構成され、
前記光制御モジュールは、前記第1の電源端子および前記第2の電源端子に接続され、
前記光制御モジュールは、前記コントローラの制御下で、前記第1の電源端子と前記第2の電源端子との間の接続を維持するか、または前記第1の電源端子と前記第2の電源端子との間の接続を遮断するように構成される、請求項1に記載のモニタ。
【請求項３】
前記光制御モジュールは、照明器具の状態を示すようにさらに構成され、
前記コントローラは、前記光制御モジュールから読み取られた前記照明器具の状態に基づいて報告信号を生成し、前記報告信号を前記PLCモジュールに送信するようにさらに構成され、
前記PLCモジュールは、前記報告信号を第2の電力線搬送波信号上に変調し、前記変調された第2の電力線搬送波信号を前記ケーブルに送信するようにさらに構成される、請求項2に記載のモニタ。
【請求項４】
第1のキャパシタ部をさらに含み、前記第1のキャパシタ部の一端は前記第2の配線端子に接続され、前記第1のキャパシタ部の他端は前記第3の配線端子および前記第4の配線端子に接続される、請求項1から3のいずれか一項に記載のモニタ。
【請求項５】
前記第1のキャパシタ部は、第1のキャパシタを含む、請求項4に記載のモニタ。
【請求項６】
前記第1のキャパシタ部は、第1のキャパシタおよび第1のヒューズを含み、
前記第1のキャパシタの一端は前記第1のヒューズの一端に接続され、前記第1のキャパシタの他端は前記第2の配線端子に接続され、前記第1のヒューズの他端は前記第3の配線端子および前記第4の配線端子に接続されるか、または、
前記第1のキャパシタの一端は前記第1のヒューズの一端に接続され、前記第1のキャパシタの他端は前記第4の配線端子に接続され、前記第1のヒューズの他端は、前記第3の配線端子および前記第2の配線端子に接続される、請求項4に記載のモニタ。
【請求項７】
マスターモニタおよびスレーブモニタを含む光制御システムであって、前記スレーブモニタは、請求項1から4のいずれか一項に記載の前記モニタであり、
前記マスターモニタは、定電流レギュレータの出力ポートに近接したケーブルの導線および接地媒体に接続され、
前記マスターモニタは、第1の電力線搬送波信号を生成し、前記ケーブルを使用することによって前記第1の電力線搬送波信号を前記スレーブモニタに送信するように構成され、
前記スレーブモニタは、前記ケーブルから前記第1の電力線搬送波信号を直接受信し、前記第1の電力線搬送波信号に基づいて照明器具を制御するように構成される、光制御システム。
【請求項８】
第2のキャパシタ部をさらに含み、前記第2のキャパシタ部の2つの端部は、前記定電流レギュレータの前記出力ポートに近接した前記ケーブルの前記導線の2つの端部に接続するように構成される、請求項7に記載の光制御システム。
【請求項９】
前記第2のキャパシタ部は第2のキャパシタを含む、請求項8に記載の光制御システム。
【請求項１０】
前記第2のキャパシタ部は、第2のキャパシタおよび第2のヒューズを含み、前記第2のキャパシタの一端は前記第2のヒューズの一端に接続される、請求項8に記載の光制御システム。
【請求項１１】
照明器具制御方法であって、
ケーブルを使用してマスターモニタからの第1の電力線搬送波信号をスレーブモニタによって受信するステップであって、前記スレーブモニタは前記ケーブルに直接接続されている、ステップと、
復調を通して前記第1の電力線搬送波信号から制御信号を取得し、前記制御信号に基づいて照明器具のオン／オフを制御するステップであって、前記照明器具は前記スレーブモニタに接続されている、ステップと、を含む方法。
【請求項１２】
前記スレーブモニタは、第1の配線端子群、第2の配線端子群、接地端子、第1の電源端子、および第2の電源端子を含み、
前記第1の配線端子群は、第1の配線端子および第2の配線端子を含み、前記第1の配線端子は前記ケーブルの導線に接続され、前記第2の配線端子は、絶縁トランスの第1の一次配線端子に接続され、
前記第2の配線端子群は、第3の配線端子および第4の配線端子を含み、前記第3の配線端子は前記ケーブルの前記導線に接続され、前記第4の配線端子は、前記絶縁トランスの第2の一次配線端子に接続され、
前記接地端子は前記ケーブルの接地媒体に接続され、
前記第1の電源端子は前記絶縁トランスの二次出力端子に接続され、前記第2の電源端子は前記照明器具に接続され、
前記制御信号に基づいて照明器具のオン／オフを制御する前記ステップは、
前記照明器具のオン／オフを制御するために、前記制御信号に基づいて前記スレーブモニタによって、前記絶縁トランスの前記二次出力端子と前記照明器具との間の接続を設定または遮断するステップを具体的に含む、請求項11に記載の方法。
【発明の詳細な説明】
【技術分野】
【０００１】
本出願は、通信技術の分野に関し、特に、モニタ、光制御システム、および照明器具制御方法に関する。
【背景技術】
【０００２】
空港視覚補助設備は、航空機の離陸、着陸、および地上走行を操作するためにパイロットに視覚案内信号を提供するために空港に配置された設備である。一般的な設備には航空灯が含まれる。通常、空港には複数の航空灯がある。各航空灯は光のオン／オフを制御するためのモニタを必要とする。モニタを使用して光のオン／オフを制御することによってパイロットにガイダンスとリスク警告を提供することができる。
【０００３】
視覚航空灯制御システムは通常、電源と、ループ電流を調整するように構成された定電流レギュレータと、ケーブルと、複数の航空灯と、複数の絶縁トランスと、各航空灯に対応するモニタ（スレーブモニタと呼ばれる）と、通信信号をスレーブモニタに送信するように構成されたマスターモニタと、を含む。
【０００４】
航空灯に対する制御を実施するために、電源、定電流レギュレータ、および複数の絶縁トランスは、ケーブルを使用することによって直列に接続される。マスターモニタは定電流レギュレータに並列に接続され、各航空灯および対応するスレーブモニタは1つの絶縁トランスの二次出力端子に接続される。マスターモニタは、電力線搬送波信号をケーブルに乗せることにより、各スレーブモニタに通信信号を送信して通信を行う。スレーブモニタは、絶縁トランスの二次出力端子から電力線搬送波信号を取得し、電力線搬送波信号に基づいて航空灯のオン／オフを制御する。
【０００５】
既存の視覚航空灯制御システムでは、マスターモニタとスレーブモニタとの間の電力線搬送波は絶縁トランスを通過する必要があり、減衰される。また、マスターモニタと各スレーブモニタとの間で電力線搬送波信号を伝送する経路は、全体が直列ループであり、比較的通信距離が長い。その結果、マスターモニタとスレーブモニタとの間の電力線搬送波信号が著しく減衰し、通信が信頼できなくなる。
【発明の概要】
【課題を解決するための手段】
【０００６】
本出願は、視覚航空灯制御システムにおいて送信される電力線搬送波信号の深刻な減衰、および信頼性の低い通信という従来技術の問題を解決するためのモニタ、光制御システム、および照明器具制御方法を提供する。
【０００７】
第1の態様によれば、この出願はモニタを提供する。モニタは、第1の配線端子群、第2の配線端子群、接地端子、第1の電源端子、および第2の電源端子を含み、第1の配線端子群は、第1の配線端子および第2の配線端子を含み、第1の配線端子はケーブルの導線に接続するように構成され、第2の配線端子は、絶縁トランスの第1の一次配線端子に接続するように構成され、第2の配線端子群は、第3の配線端子および第4の配線端子を含み、第3の配線端子はケーブルの導線に接続するように構成され、第4の配線端子は、絶縁トランスの第2の一次配線端子に接続するように構成され、接地端子はケーブルの接地媒体に接続するように構成され、第1の電源端子は絶縁トランスの二次出力端子に接続するように構成され、第2の電源端子は照明器具に接続するように構成される。
【０００８】
上記方法によれば、第1の配線端子と接地端子とを用いてモニタをケーブルの導線および接地媒体に直接接続し、ケーブルを用いて直接電力線搬送波信号を受信することができる。電力線搬送波信号は絶縁トランスを通過する必要がないので、電力線搬送波信号が絶縁トランスを通過することによって引き起こされる信号減衰を回避する。
【０００９】
可能な実施態様では、モニタは、光制御モジュール、コントローラ、およびPLC（power line communication、電力線通信）モジュールをさらに含み、PLCモジュールは、デジタル通信ポートおよび搬送波通信ポートを含み、デジタル通信ポートはコントローラに接続され、搬送波通信ポートは、第1の配線端子および接地端子に接続され、PLCモジュールは、復調を通して、ケーブル上で送信された第1の電力線搬送波信号から制御信号を取得し、制御信号をコントローラに送信するように構成され、コントローラは、光制御モジュールに接続され、制御信号に基づいて光制御モジュールを制御するように構成され、光制御モジュールは、第1の電源端子および第2の電源端子に接続され、光制御モジュールは、コントローラの制御下で、第1の電源端子と第2の電源端子との間の接続を維持するか、または第1の電源端子と第2の電源端子との間の接続を遮断するように構成される。
【００１０】
上記の方法によれば、第1の電力線搬送波信号の伝送経路は、ケーブルの導線と接地媒体とによって形成されるループである。これにより、第1の電力線搬送波信号の伝送経路をより短くすることができ、信号減衰をさらに抑制することができる。さらに、第1の電力線搬送波信号が絶縁トランスの二次出力端子を通過する必要がないので、第1の電力線搬送波信号がモニタのPLCモジュールに到着したときの減衰は小さい。
【００１１】
可能な実施態様では、光制御モジュールは照明器具の状態を示すことができ、コントローラは、光制御モジュールから照明器具の状態を読み取り、照明器具の状態に基づいて報告信号を生成し、報告信号をPLCモジュールに送信し、PLCモジュールは、報告信号を第2の電力線搬送波信号上に変調し、変調された第2の電力線搬送波信号をケーブルに送信する。
【００１２】
上記の方法によれば、モニタがケーブル上で第1の電力線搬送波信号を受信するだけでなく、第2の電力線搬送波信号を送信することができるので、モニタは双方向通信を行って、通信方式をより柔軟にすることができる。
【００１３】
可能な実施態様では、モニタは、第1のキャパシタ部をさらに含むことができ、第1のキャパシタ部の一端は第2の配線端子に接続され、第1のキャパシタ部の他端は第3の配線端子および第4の配線端子に接続される。
【００１４】
上記の方法によれば、第2の配線端子と第4の配線端子とが絶縁トランスの2つの一次配線端子に接続されるので、第1のキャパシタ部が絶縁トランスの一次コイルと並列に接続され、第1のキャパシタ部は、絶縁トランスの一次コイルの一端から他端へ高周波の第1の電力線搬送波信号をより良好に伝送することができる。第1の電力線搬送波信号は、絶縁トランスの一次コイルを通過する必要がないので、信号減衰を効果的に低減する。
【００１５】
可能な実施態様では、第1のキャパシタ部は1つの第1のキャパシタまたは複数の第1のキャパシタを含む。
【００１６】
上記の方法によれば、第1の電力線搬送波信号は、第1のキャパシタを用いて送信される。これは信号減衰を効果的に抑制することができる。
【００１７】
可能な実施態様では、第1のキャパシタ部は第1のキャパシタおよび第1のヒューズを含む。例えば、第1のキャパシタ部が1つの第1のキャパシタと1つの第1のヒューズとを含む場合、次の2つの接続方法がある。
【００１８】
方法1：第1のキャパシタの一端が第1のヒューズの一端に接続され、第1のキャパシタの他端が第2の配線端子に接続され、第1のヒューズの他端が、第3の配線端子および第4の配線端子に接続される。
【００１９】
方法2：第1のキャパシタの一端が第1のヒューズの一端に接続され、第1のキャパシタの他端が第4の配線端子に接続され、第1のヒューズの他端が、第3の配線端子および第2の配線端子に接続される。
【００２０】
複数の第1のキャパシタと複数の第1のヒューズとが含まれる場合、別の接続方法を用いることができ、第1のキャパシタが故障したときに第1のヒューズが接続を遮断して絶縁トランスの一次コイルが短絡するのを防ぐことができる。
【００２１】
上記方法によれば、第1のキャパシタと第1のヒューズとが直列に接続されているので、第1のキャパシタが故障した後に第1のヒューズが接続を遮断して絶縁トランスの一次コイルが短絡することを防止できる。絶縁トランスを使用することによって、第1の電力線搬送波信号および電気信号を依然として伝送することができる。
【００２２】
第2の態様によれば、本出願は光制御システムを提供する。光制御システムはマスターモニタおよびスレーブモニタを含み、スレーブモニタは第1の態様または第1の態様の設計のいずれかによるモニタである。
【００２３】
マスターモニタは、定電流レギュレータの出力ポートに近接したケーブルの導線および接地媒体に接続される。具体的には、マスターモニタは一次搬送波通信ポートを含み、一次搬送波通信ポートは定電流レギュレータの出力ポートに近接したケーブルの導線および接地媒体に接続される。マスターモニタは、第1の電力線搬送波信号を生成し、ケーブルを使用することによって第1の電力線搬送波信号をスレーブモニタに送信するように構成される。スレーブモニタは、ケーブルから第1の電力線搬送波信号を直接受信し、第1の電力線搬送波信号に基づいて照明器具を制御するように構成される。
【００２４】
上記の方法によれば、マスターモニタとスレーブモニタとの間で伝送される第1の電力線搬送波信号の伝送経路は、ケーブルの導線と接地媒体とによって形成されるループである。これにより、第1の電力線搬送波信号の伝送経路が短くなり、電力線搬送波信号の減衰をより低減することができる。
【００２５】
可能な実施態様では、光制御システムは第2のキャパシタ部をさらに含み、第2のキャパシタ部の2つの端部は、定電流レギュレータの出力ポートに近接したケーブルの導線の2つの端部に接続するように構成される。具体的には、第2のキャパシタ部の一端が定電流レギュレータの出力ポートの一方の端子に近接したケーブルの導線に接続され、第2のキャパシタ部の他端が定電流レギュレータの出力ポートの他方の端子に近接したケーブルの導線に接続される。
【００２６】
上記の方法によれば、第2のキャパシタ部が定電流レギュレータと並列に接続され、定電流レギュレータの出力ポートの一方の端子の電力線搬送波信号を他方の端子のケーブルに伝送することができる。定電流レギュレータの2つの端子に近接したスレーブモニタは、電力線搬送波信号を比較的迅速に受信することができ、第2のキャパシタ部を使用して送信される第1の電力線搬送波信号の減衰は比較的小さい。
【００２７】
可能な実施態様では、第2のキャパシタ部は少なくとも1つの第2のキャパシタを含む。
【００２８】
上記の方法によれば、少なくとも1つの第2のキャパシタが定電流レギュレータに並列に接続され、第2のキャパシタを用いて第1の電力線搬送波信号が送信されるので、定電流レギュレータの出力ポートに近接したスレーブモニタは、比較的迅速に第1の電力線搬送波信号を受信することができ、送信された第1の電力線搬送波信号のビット誤り率が比較的低いことを保証することができる。
【００２９】
可能な実施態様では、第2のキャパシタ部は第2のキャパシタと第2のヒューズとを含む。例えば、第2のキャパシタ部は、1つの第2のキャパシタと1つの第2のヒューズとを含む。第2のキャパシタの一端は第2のヒューズの一端に接続され、第2のキャパシタの他端および第2のヒューズの他端は、定電流レギュレータの出力ポートの2つの端子に近接したケーブルの導線に接続される。あるいは、第2のキャパシタが故障したときに第2のヒューズが接続を遮断することができるという条件で、第2のキャパシタ部は複数の第2のキャパシタおよび複数の第2のヒューズを含むことができる。
【００３０】
上記の方法によれば、第2のキャパシタと第2のヒューズとが直列に接続されているので、第2のキャパシタが故障した後に、過大電流により第2のヒューズが接続を遮断して、ループが短絡することを防止することができ、光制御システムの正常な動作を保証することができる。
【００３１】
第3の態様によれば、本出願は照明器具制御方法を提供する。本方法は、ケーブルを使用してマスターモニタからの第1の電力線搬送波信号をスレーブモニタによって受信するステップと、復調を通して第1の電力線搬送波信号から制御信号を取得し、制御信号に基づいて照明器具のオン／オフを制御するステップと、を含み、スレーブモニタはケーブルに直接接続され、照明器具はスレーブモニタに接続される。
【００３２】
上記方法によれば、スレーブモニタがケーブルを用いて電力線搬送波信号を直接受信し、電力線搬送波信号は絶縁トランスを通過する必要がないので、電力線搬送波信号が絶縁トランスを通過することによって引き起こされる信号減衰を回避する。
【００３３】
可能な実施態様では、スレーブモニタは、第1の配線端子群、第2の配線端子群、接地端子、第1の電源端子、および第2の電源端子を含み、第1の配線端子群は、第1の配線端子および第2の配線端子を含み、第1の配線端子はケーブルの導線に接続され、第2の配線端子は、絶縁トランスの第1の一次配線端子に接続され、第2の配線端子群は、第3の配線端子および第4の配線端子を含み、第3の配線端子はケーブルの導線に接続され、第4の配線端子は、絶縁トランスの第2の一次配線端子に接続され、接地端子はケーブルの接地媒体に接続され、第1の電源端子は絶縁トランスの二次出力端子に接続され、第2の電源端子は照明器具に接続され、スレーブモニタによって、制御信号に基づいて照明器具のオン／オフを制御するステップは、具体的には、照明器具のオン／オフを制御するために、制御信号に基づいて、絶縁トランスの二次出力端子と照明器具との間の接続を設定または遮断するステップである。
【００３４】
上記の方法によれば、スレーブモニタは、ケーブルを用いて電力線搬送波信号を直接受信し、電力線搬送波信号から復調を通して得られた制御信号に基づいて照明器具を制御する。電力線搬送波信号は絶縁トランスを通過する必要がないので、電力線搬送波信号の減衰は比較的小さく、復調を通して正しい制御信号を得ることができ、それによってスレーブモニタが制御信号に基づいて照明器具を比較的正確にオンまたはオフすることができる。
【図面の簡単な説明】
【００３５】
【図１】従来技術における視覚航空灯制御システムの概略構成図である。
【図２】本出願による光制御システムの概略構成図である。
【図３】本出願によるモニタの概略構成図である。
【図４】本出願による光制御システムの概略構成図である。
【図５】本出願による第1のキャパシタ部の概略構成図である。
【図６】本出願による第1のキャパシタ部の概略構成図である。
【図７Ａ】本出願による第1のキャパシタ部の概略構成図である。
【図７Ｂ】本出願による第1のキャパシタ部の概略構成図である。
【図８】本出願による第2のキャパシタ部の概略構成図である。
【図９】本出願による第2のキャパシタ部の概略構成図である。
【図１０Ａ】本出願による第2のキャパシタ部の概略構成図である。
【図１０Ｂ】本出願による第2のキャパシタ部の概略構成図である。
【図１１】本出願による照明器具制御方法の概略図である。
【発明を実施するための形態】
【００３６】
本出願において使用されるいくつかの用語について、当業者による理解を容易にするために最初に記載する。
【００３７】
1．ヒューズは、ループ内の電流がしきい値を超えると溶断してループを遮断する構成要素である。第1のヒューズは回路保護機能を有する。
【００３８】
2．光制御モジュールは、スイッチ、ダイオード、および三極管などの構成要素を含むことができる。照明器具と絶縁トランスの二次出力端子との間の経路の接続性を実現することができる任意の構成要素が、本出願の実施形態に適用可能である。
【００３９】
3．コントローラは、照明器具の電源オン／電源オフを制御するために、第1の電力線搬送波信号に基づいて光制御モジュールを制御するように構成される。コントローラは、中央処理装置（central processing unit、CPU）、マイクロプロセッサ（microcontroller unit、MCU）、特定用途向け集積回路（application specific integrated circuit、ASIC）、フィールドプログラマブルゲートアレイ（field−programmable gate array、FPGA）、または複合プログラマブルロジックデバイス（complex programmable logic device、CPLD）であってもよい。光制御モジュールを制御する機能を実現することができる任意の構成要素がコントローラとして働くことができる。
【００４０】
4．「複数」とは、2つ以上を意味する。
【００４１】
本出願の目的、技術的解決策、および利点をより明確にするために、以下では添付の図面を参照しながら本出願を詳細にさらに説明する。
【００４２】
現在、視覚航空灯制御システムは、電源と、ループ電流を調整するように構成された定電流レギュレータと、ケーブルと、マスターモニタと、複数の航空灯と、複数の絶縁トランスと、複数の単灯モニタ（スレーブモニタとも呼ばれる）と、を含む。各航空灯は、1つのスレーブモニタと1つの絶縁トランスに対応している。マスターモニタはスレーブモニタと通信するように構成され、スレーブモニタは航空灯のオン／オフを制御するように構成される。
【００４３】
定電流レギュレータは、ループ内の電流の大きさを制御するように構成された装置である。制御する必要がある照明器具の数が変化すると、定電流レギュレータはループ内の電流の大きさを制御することができ、それによって照明器具の数が変化する前後で照明器具の輝度を一定に保つことができる。
【００４４】
図1に示すように、電源101は定電流レギュレータ102に接続され、定電流レギュレータ102は複数の絶縁トランス（103−1、103−2、103−3、…）に直列に接続され、マスターモニタ104は定電流レギュレータ102の出力ポートに接続されている。各航空灯は、1つのスレーブモニタと1つの絶縁トランスに対応している。例えば、航空灯105−1は、スレーブモニタ106−1および絶縁トランス103−1に対応する。具体的には、航空灯105−1はスレーブモニタ106−1に接続され、スレーブモニタ106−1は絶縁トランス103−1の二次出力端子107−1に接続されている。マスターモニタ104は、各航空灯のオン／オフを制御するための制御信号を各スレーブモニタ（106−1、106−2、106−3、…）に送信することができ、各スレーブモニタ（106−1、106−2、106−3、…）は、対応する航空灯の状態情報をマスターモニタ104に送信することができる。対応するスレーブモニタの制御下で、航空灯は対応する絶縁トランスの二次出力端子への接続を設定する（言い換えれば、航空灯の電源が入り、点灯する）、または絶縁トランスの二次出力端子からの接続を遮断する（つまり、航空灯の電源が切れて消灯する）。このようにして、スレーブモニタは、マスターモニタからの制御信号に基づいて対応する航空灯のオン／オフを制御することができる。例えば、スレーブモニタ106−1の制御下で、航空灯105−1は、絶縁トランス103−1の二次出力端子107−1への接続を設定し、絶縁トランス103−1の二次出力端子107−1から電力を得て、オン（ON）する。別の例では、スレーブモニタ106−1の制御下で、航空灯105−1は、絶縁トランス103−1の二次出力端子107−1からの接続を遮断し、航空灯105−1は電源が切れて、オフ（OFF）する。
【００４５】
図1に示す直列ループでは、マスターモニタ104はサーバ108と通信し、サーバ108から制御信号を取得し、次いで制御信号を電力線搬送波信号に変調する。ケーブルを用いて電力線搬送波信号がスレーブモニタに送信された後に、スレーブモニタは、電力線搬送波信号から復調を通して制御信号を取得し、航空灯を制御するための命令を取得することができる。
【００４６】
電力線搬送波信号は、通常、情報を搬送し、ケーブルを使用して送信することができる高周波電流信号である。
【００４７】
図1に示す航空灯制御システムでは、電力線搬送波信号をスレーブモニタに送信することができる前に、電力線搬送波信号は、必然的に絶縁トランスの一次コイルを通過して絶縁トランスの二次出力端子に到達する必要がある。しかしながら、電力線搬送波信号は絶縁トランスを通過した後に減衰が生じる。
【００４８】
さらに、マスターモニタは定電流レギュレータに並列に接続されているため、マスターモニタからスレーブモニタに送信されるすべての電力線搬送波信号は、直列ループ全体を通過する必要がある。つまり、電力線搬送波信号の伝送経路がループ全体となり、伝送経路が長くなり過ぎて、信号の減衰がさらに増大する。その結果、図1の航空灯制御システムにおける信号減衰は比較的大きく、通信の信頼性が非常に低下する。
【００４９】
図2は、本出願の一実施形態による光制御システムを示す。光制御システム200は、マスターモニタ201とスレーブモニタ202とを含み、マスターモニタ201とスレーブモニタ202とはケーブルで接続されている。
【００５０】
マスターモニタ201は、第1の電力線搬送波信号を生成し、ケーブルを使用することによって第1の電力線搬送波信号をスレーブモニタ202に送信するように構成される。
【００５１】
スレーブモニタ202は、ケーブルから第1の電力線搬送波信号を直接受信し、第1の電力線搬送波信号に基づいて照明器具203を制御するように構成される。
【００５２】
光制御システム200は、通常、定電流レギュレータ204、電源205、および絶縁トランス206を含む視覚航空灯制御システムで使用される。電源205は定電流レギュレータ204の入力ポートに接続され、定電流レギュレータ204の出力ポート207はケーブルに接続されてループを形成し、絶縁トランス206はループに直列に接続されている。
【００５３】
マスターモニタ201は、定電流レギュレータ204の出力ポート207に近接する位置に配置されている。マスターモニタ201は、定電流レギュレータ204の出力ポート207に近接するケーブルの導線209および接地媒体210に接続されている。具体的には、マスターモニタ201は、一次搬送波通信ポート208を含み、一次搬送波通信ポート208はケーブルに接続するように構成される。一次搬送波通信ポート208は、ケーブルの導線209および接地媒体210に接続されている。図2に示すように、一次搬送波通信ポート208は、ケーブルの導線209および接地媒体210にそれぞれ接続された2本の通信ピン208A、208Bを含む。
【００５４】
定電流レギュレータ204の出力ポート207は2つの端子（207A、207B）を含み、2つの端子（207A、207B）はケーブルの導線209の両端に接続されてループを形成している。定電流レギュレータ204で生成された電気信号は、ケーブル全体の導線209上を伝送されてもよい。
【００５５】
さらに、図2に示すように、スレーブモニタ202は、第1の配線端子群211、第2の配線端子群212、接地端子213、第1の電源端子214、および第2の電源端子215を含む。
【００５６】
第1の配線端子群211は、第1の配線端子216と第2の配線端子217とを含み、第1の配線端子216はケーブルの導線209に接続するように構成され、第2の配線端子217は絶縁トランス206の第1の一次配線端子218Aに接続するように構成され、第1の一次配線端子218Aは、絶縁トランス206の一次コイル218の一端である。
【００５７】
第2の配線端子群212は、第3の配線端子219と第4の配線端子220とを含み、第3の配線端子219はケーブルの導線209に接続するように構成され、第4の配線端子220は、絶縁トランス206の第2の一次配線端子218Bに接続するように構成され、第2の一次配線端子218Bは、絶縁トランス206の一次コイル218の他端である。
【００５８】
接地端子213は、ケーブルの接地媒体210に接続するように構成されている。
【００５９】
第1の電源端子214は絶縁トランス206の二次出力端子221に接続するように構成され、第2の電源端子215は照明器具203に接続するように構成される。
【００６０】
任意選択的に、図2のスレーブモニタ202および絶縁トランス206をライトボックス222内に配置することができる。ケーブルは、ライトボックス222の一方の側からライトボックス222内に引き回されて、ライトボックス内のスレーブモニタ202および絶縁トランス206に対する電力線搬送波信号および電気信号を伝送することができ、ケーブルはライトボックス222の反対側から引き出されている。ライトボックス内のケーブルの接地媒体210は、ライトボックス222内の接地端223を使用することによって接地することができる。
【００６１】
図2に示す光制御システムでは、マスターモニタによって生成された第1の電力線搬送波信号は、ケーブルの導線と接地媒体とによって形成されたループを使用することによって送信される。第1の電力線搬送波信号がケーブルを介してスレーブモニタに対応する絶縁トランスに到達すると、第1の電力線搬送波信号は絶縁トランスを通過する必要はなく、第1の配線端子を用いて直接スレーブモニタに入ることができ、接地端子を使用して、スレーブモニタから流れ出ることができる。
【００６２】
定電流レギュレータの出力ポートから出力された電気信号は、ケーブルの導線上を伝送する。電気信号がケーブルを介して絶縁トランスに到達すると、絶縁トランスの一次コイルに電磁誘導が発生し、絶縁トランスの二次出力端子に電気信号が発生する。絶縁トランスの二次出力端子に発生した電気信号は、スレーブモニタの第1の電源端子および第2の電源端子を通過して照明器具に到達し、照明器具に電力を供給する。
【００６３】
以上の説明から、マスターモニタの一次搬送波通信ポートがケーブルの導線および接地媒体に接続されていることがわかる。言い換えれば、マスターモニタによって生成される第1の電力線搬送波信号の伝送経路は、定電流レギュレータが接続されたループ全体ではなく、ケーブルの導線と接地媒体とによって形成されるループである。これにより、第1の電力線搬送波信号の伝送経路が短くなり、第1の電力線搬送波信号の減衰がさらに低減され、長期使用後のループインピーダンスの不整合がシステムの正常動作に影響を及ぼすという問題を回避することができる。スレーブモニタは、第1の配線端子を用いてケーブルの導線に接続され、接地端子を用いてケーブルの接地媒体に接続されているので、スレーブモニタはケーブルを用いて第1の電力線搬送波信号を直接受信することができ、絶縁トランスの二次出力端子から第1の電力線搬送波信号を取得する必要がない。これにより、信号が絶縁トランスを通過する際に第1の電力線搬送波信号が減衰し、信号品質が絶縁トランスの漏れインダクタンスの影響を受けるという問題を回避することができる。
【００６４】
本発明のこの実施形態では、ケーブルは導線と接地媒体とを含む。接地媒体は、配線の外層を包むシールド層であってもよく、シールド層は、外部信号によって引き起こされる電磁干渉を、導線上を伝送する信号に対してシールドするように構成され、通常は接地されている。あるいは、接地媒体は別の導線でもよく、接地に使用される。
【００６５】
マスターモニタには通常、PLCモジュールが含まれる。マスターモニタのPLCモジュールは、第1の電力線搬送波信号を生成し、生成された第1の電力線搬送波信号をケーブルを使用することによってスレーブモニタに送信するように構成される。マスターモニタが第1の電力線搬送波信号を生成する方法は複数ある。例えば、マスターモニタは、サーバと通信し、サーバによって送信された命令に基づいて第1の電力線搬送波信号を生成することができる。
【００６６】
図3に示すように、図3は、スレーブモニタの内部構成の概略図である。スレーブモニタ300は、光制御モジュール301、コントローラ302、およびPLCモジュール303を含む。
【００６７】
PLCモジュール303はデジタル通信ポート304および搬送波通信ポート305を含み、デジタル通信ポート304はコントローラ302に接続され、搬送波通信ポート305は第1の配線端子306と接地端子307とに接続される。PLCモジュール303は、ケーブル上で送信された第1の電力線搬送波信号から復調を通して制御信号を取得し、その制御信号をコントローラ302に送信するように構成される。
【００６８】
コントローラ302は、光制御モジュール301に接続されており、制御信号に基づいて光制御モジュール301を制御するように構成される。
【００６９】
光制御モジュール301は、第1の電源端子308および第2の電源端子309に接続されている。
【００７０】
光制御モジュール301は、コントローラ302の制御下で、第1の電源端子308と第2の電源端子309との間の接続を維持して、照明器具310をオン（ON）にするか、または第1の電源端子308と第2の電源端子309との間の接続を遮断して、照明器具310をオフ（OFF）にするように構成される。
【００７１】
第1の配線端子306はケーブルの導線311に接続され、接地端子307はケーブルの接地媒体312に接続され、第1の電源端子308は絶縁トランス313の二次出力端子314に接続され、第2の電源端子309は照明器具310に接続されている。
【００７２】
図3に示すスレーブモニタは、第2の配線端子315、第3の配線端子316、および第4の配線端子317をさらに含む。第2の配線端子315は絶縁トランス313の第1の一次配線端子318Aに接続され、第3の配線端子316はケーブルの導線311に接続され、第4の配線端子317は絶縁トランス313の第2の一次配線端子318Bに接続されている。さらに、第1の配線端子306は第2の配線端子315に接続され、第3の配線端子316は第4の配線端子317に接続されている。
【００７３】
図3に示すスレーブモニタでは、ケーブル上の第1の電力線搬送波信号が第1の配線端子306を用いてスレーブモニタに入り、第1の配線端子306に接続された搬送波通信ポート305を通ってPLCモジュール303に到達する。第1の電力線搬送波信号は、PLCモジュール303を通過した後に、搬送波通信ポート305に接続された接地端子307を用いてケーブルの接地媒体に送信される。PLCモジュール303は、第1の電力線搬送波信号に基づいて制御信号を生成し、デジタル通信ポート304を使用して制御信号をコントローラ302に送信する。コントローラ302は、制御信号に基づいて光制御モジュールを制御する。
【００７４】
図3に示すスレーブモニタでは、ケーブル上の電気信号が第1の配線端子306を用いてスレーブモニタに入り、第2の配線端子315から絶縁トランス313の一次コイル318に伝送される。次いで、第3の配線端子316および第4の配線端子317を用いて、絶縁トランス313の一次コイル318内の電気信号をケーブルに伝送する。絶縁トランス313の一次コイル318内の電気信号は、絶縁トランス313の二次出力端子314に電気信号を発生させる。絶縁トランス313の二次出力端子314の電気信号は、第1の電源端子308からスレーブモニタ300に入り、第1の電源端子308に接続された光制御モジュール301に到達した後に、光制御モジュール301に接続された第2の電源端子309を介して照明器具310に到達する。言い換えると、光制御モジュール301は、第1の電源端子308および第2の電源端子309を用いて、照明器具310と絶縁トランス313の二次出力端子314との間の経路の接続性を実現することができ、その結果、照明器具310は、絶縁トランス313の二次出力端子314から電力を得て、絶縁トランス313の二次出力端子314で電気信号を得る。
【００７５】
コントローラ302は、光制御モジュール301を制御することによって照明器具310と絶縁トランスの二次出力端子314との間の経路を接続または遮断して、照明器具310に電力を供給または遮断することができる。具体的には、コントローラ302は、光制御モジュール301を制御して第1の電源端子308と第2の電源端子309との間の接続を設定または遮断することにより、照明器具310への電力の供給または遮断を行う。
【００７６】
スレーブモニタのPLCモジュール303の搬送波通信ポート305は、第1の配線端子306および接地端子307を用いてケーブルの導線311および接地媒体312に直接接続されてもよい。マスターモニタがケーブルの導線および接地媒体を使用して第1の電力線搬送波信号を送信すると、スレーブモニタのPLCモジュール303はケーブルから第1の電力線搬送波信号を直接受信し、次いで、第1の電力線搬送波信号から復調を通して取得した制御信号をコントローラ301に送信することができる。このように、スレーブモニタは、絶縁トランス313を必要とせずに電力線搬送波信号を取得することができるため、絶縁トランスによって生じる電力線搬送波信号の減衰による通信の信頼性低下の問題を回避することができる。
【００７７】
任意選択的に、マスターモニタが照明器具の状態を適時に取得できるようにするために、スレーブモニタは照明器具の状態をマスターモニタに報告することができる。スレーブモニタは、定期的に照明器具の状態を先回りして報告してもよいし、照明器具の状態が変化したときに照明器具の状態を報告してもよい。あるいは、スレーブモニタは、マスターモニタによって送信され、照明器具の状態を報告するように指示するために使用される電力線搬送波信号を受信した後に、照明器具の状態を報告してもよい。
【００７８】
具体的には、光制御モジュール301は、照明器具の状態をさらに示し、照明器具の状態を保存してもよい。コントローラ302は、光制御モジュール301から照明器具の状態を読み取り、読み取った照明器具の状態に基づいて報告信号を生成し、その報告信号をPLCモジュール303に送信することができる。次いで、PLCモジュール303は、報告信号を第2の電力線搬送波信号上に変調し、変調した第2の電力線搬送波信号を（スレーブモニタの第1の配線端子306および接地端子307を用いて）ケーブルに直接送信する。第2の電力線搬送波信号がケーブル上で送信されると、マスターモニタは、一次搬送波通信ポートを使用して、ケーブル上で伝送された第2の電力線搬送波信号を受信し、第2の電力線搬送波信号に基づいて照明器具の状態を取得することができる。
【００７９】
光制御モジュール301によって記録された複数の照明器具の状態、例えば、照明器具内に電流が存在するかどうか、照明器具が湿っているかどうか、または照明器具の現在の温度など、があり得ることに留意されたい。照明器具の状態を表すことができる任意の情報を、本出願のこの実施形態に適用することができる。
【００８０】
任意選択的に、コントローラ302が、PLCモジュール303によって復調を通して第1の電力線搬送波信号から取得された制御信号に基づいて光制御モジュール301を制御した後に、コントローラ302は、コントローラ302がマスターモニタによって送信された第1の電力線搬送波信号を受信し、第1の電力線搬送波信号から復調を通して得られた制御信号に基づいて照明器具310に対して対応する動作を完了したことを表すために、確認応答信号をマスターモニタにさらにフィードバックすることができる。具体的には、コントローラ302は確認応答信号を生成し、確認応答信号をPLCモジュール303に送信する。PLCモジュール303は、確認応答信号を第3の電力線搬送波信号上に変調し、第3の電力線搬送波信号を（スレーブモニタの第1の配線端子および接地端子を用いて）ケーブルに直接送信する。マスターモニタは、ケーブルから第3の電力線搬送波信号を受信し、スレーブモニタが以前に送信された第1の電力線搬送波信号を受信し、照明器具310に対して対応する動作を完了したと判断することができる。
【００８１】
任意選択的に、図4に示すように、光制御システム400は、1つのマスターモニタ401と複数のスレーブモニタ402とを含むことができる。各スレーブモニタ402は1つの絶縁トランス403に接続され、各スレーブモニタ402のPLCモジュール404の搬送波通信ポート405は、第1の配線端子406および接地端子407を用いてケーブルの導線408および接地媒体409に接続され、マスターモニタ401の一次搬送波通信ポート410は、ケーブルの導線408および接地媒体409に接続される。
【００８２】
いずれのスレーブモニタについても、スレーブモニタとマスターモニタとの間で伝送される電力線搬送波信号の伝送経路は、スレーブモニタとマスターモニタとの間のケーブルの導線および接地媒体によって形成されるループである。これにより、電力線搬送波信号の伝送経路が短くなり、電力線搬送波信号の減衰が効果的に抑制される。スレーブモニタとマスターモニタとの間で伝送される電力線搬送波信号は、第1の電力線搬送波信号、第2の電力線搬送波信号、または第3の電力線搬送波信号を含むが、これらに限定されない。さらに、電力線搬送波信号の伝送方向に基づいて、上位のスレーブモニタが電力線搬送波信号を受信するための下位のスレーブモニタに対する中継器として機能してもよい。これにより、電力線搬送波信号の減衰を効果的に抑制することができる。
【００８３】
可能な実施態様では、図5に示すように、光制御システムが複数のスレーブモニタを含む場合に、ケーブル上の電力線搬送波信号が減衰することなく絶縁トランスを通過できることを保証するために、スレーブモニタ500は第1のキャパシタ部501をさらに含む。第1のキャパシタ部501の一端は第2の配線端子502に接続され、他端は第3の配線端子503および第4の配線端子504に接続されている。第2の配線端子502は絶縁トランス505の第1の一次配線端子506Aに接続され、第4の配線端子504は絶縁トランス505の第2の一次配線端子506Bに接続され、第3の配線端子503はケーブルの導線507に接続される。
【００８４】
第2の配線端子と第4の配線端子とが絶縁トランスの一次コイルの2つの配線端子に接続されるので、第1のキャパシタ部が絶縁トランスの一次コイルの2つの配線端子間に配置されて、絶縁トランスの一次コイルに並列に接続される。
【００８５】
一般に、電力線搬送波信号は高周波の電流信号である。絶縁トランスの一次コイルと比較して、第1のキャパシタ部は、高周波の電力線搬送波信号をより良好に伝送することができ、信号減衰を効果的に抑制することができる。
【００８６】
任意選択的に、第1のキャパシタ部はキャパシタを含むことができ、さらに別の構成要素を含むことができる。
【００８７】
図6に示すように、スレーブモニタ600の第1のキャパシタ部601は、第1のキャパシタ602を含む。第1のキャパシタ602の一端は第2の配線端子603に接続され、他端は第3の配線端子604および第4の配線端子605に接続されている。第2の配線端子603および第4の配線端子605は、絶縁トランス606の一次コイル607の両端の配線端子（第1の一次配線端子607Aと第2の一次配線端子607B）にそれぞれ接続され、第3の配線端子604はケーブルの導線608に接続されている。第1のキャパシタ部は、1つの第1のキャパシタのみを含んでいてもよいし、複数の第1のキャパシタを含んでいてもよいことに留意されたい。これは特定のシナリオに基づいて設定されてもよく、本明細書では限定されない。
【００８８】
あるいは、第1のキャパシタ部は、第1のキャパシタと第1のヒューズとを含むことができる。
【００８９】
例えば、図7Aに示すように、スレーブモニタ700の第1のキャパシタ部701は、第1のキャパシタ702と第1のヒューズ703とを含む。第1のキャパシタ702の一端は第1のヒューズ703の一端に接続され、第1のキャパシタ702の他端は第2の配線端子704に接続され、第1のヒューズ703の他端は第3の配線端子705と第4の配線端子706に接続されている。第2の配線端子704と第4の配線端子706は絶縁トランス707の一次コイル708の両端の配線端子（708Aと708B）にそれぞれ接続され、第3の配線端子705はケーブルの導線709に接続されている。
【００９０】
例えば、図7Bに示すように、スレーブモニタ700の第1のキャパシタ部701は、第1のキャパシタ702と第1のヒューズ703とを含む。第1のキャパシタ702の一端は第1のヒューズ703の一端に接続され、第1のヒューズ703の他端は第2の配線端子704に接続され、第1のキャパシタ702の他端は第3の配線端子705と第4の配線端子706とに接続されている。第2の配線端子704と第4の配線端子706は絶縁トランス707の一次コイル708の両端の配線端子（708Aと708B）にそれぞれ接続され、第3の配線端子705はケーブルの導線709に接続されている。
【００９１】
第1のキャパシタが故障すると、絶縁トランスの一次コイルが短絡され、照明器具に電力を供給することができなくなる可能性がある。第1のキャパシタが第1のヒューズに直列に接続されている場合には、第1のキャパシタが故障した後に、第1のヒューズが過大な電流により溶断して接続を遮断する。これにより、絶縁トランスの一次コイルが短絡することを防止することができ、かつ、絶縁トランスを用いて電力線搬送波信号と電気信号とを依然として伝送することができる。
【００９２】
第1のキャパシタ部は、複数の第1のキャパシタと複数の第1のヒューズとを含んでもよいことに留意されたい具体的な接続方法は本明細書に限定されない。第1のキャパシタが故障したときに第1のヒューズが接続を遮断することを可能にする任意の接続方法を、本発明のこの実施形態に適用することができる。
【００９３】
任意選択的に、図8に示すように、マスターモニタ801およびスレーブモニタ802とは別に、光制御システム800は第2のキャパシタ部803をさらに含むことができる。第2のキャパシタ部803の両端は、定電流レギュレータ805の出力ポート806に近接するケーブルの導線804の両端に接続するように構成されている。具体的には、第2のキャパシタ部803の一端が定電流レギュレータ805の出力ポート806の一方の端子に近接した導線804に接続されるように構成され、第2のキャパシタ部803の他端が定電流レギュレータ805の出力ポート806の他方の端子に近接した導線804に接続されるように構成される。
【００９４】
第2のキャパシタ部の両端はケーブルの導線に接続され、定電流レギュレータの出力ポートの2つの異なる端子に配置され、第2のキャパシタ部は定電流レギュレータに並列に接続されている。
【００９５】
実際の用途では、光制御システムは多くのスレーブモニタを含むことができ、定電流レギュレータと絶縁トランスとによって形成されるループは比較的長い。ケーブル上の電力線搬送波信号の高速伝送を可能にするために、定電流レギュレータの出力ポートの一方の端子の第1の電力線搬送波信号は、第2のキャパシタ部を使用して他方の端子に伝送することができるので、定電流レギュレータの出力ポートに近接するスレーブモニタは、第1の電力線搬送波信号を比較的迅速に受信することができる。さらに、第2のキャパシタ部を用いて伝送される第1の電力線搬送波信号の減衰が比較的小さいので、定電流レギュレータの出力ポートに近接するスレーブモニタが受信する第1の電力線搬送波信号のビット誤り率は低い。
【００９６】
第2のキャパシタ部は、定電流レギュレータの出力ポートに近接する導線の両端に接続するだけでよく、第2のキャパシタ部は、マスターモニタとスレーブモニタとの間に配置されてもよいし、マスターモニタと定電流レギュレータとの間に配置されてもよいことに留意されたい。
【００９７】
具体的には、第2のキャパシタ部はキャパシタを含み、さらに別の構成要素を含むことができる。
【００９８】
図9に示すように、光制御システム900の第2のキャパシタ部901は第2のキャパシタ902を含み、第2のキャパシタ902の両端は、定電流レギュレータ903の出力ポート904に近接するケーブルの導線905にそれぞれ接続される。
【００９９】
なお、第2のキャパシタ部は、1つの第2のキャパシタのみを含んでいてもよいし、複数の第2のキャパシタを含んでいてもよいことに留意されたい。これは特定のシナリオに基づいて設定されてもよく、本明細書では限定されない。
【０１００】
あるいは、第2のキャパシタ部は、第2のキャパシタと第2のヒューズとを含んでもよい。
【０１０１】
例えば、図10Aに示すように、光制御システム1000の第2のキャパシタ部1001は、第2のキャパシタ1002と第2のヒューズ1003とを含む。第2のキャパシタ1002の一端は第2のヒューズ1003の一端に接続され、第2のキャパシタ1002の他端および第2のヒューズ1003の他端は、定電流レギュレータ1004の出力ポート1005に近接するケーブルの導線1006に接続するように構成される。具体的には、第2のキャパシタ1002の他端は、定電流レギュレータ1004の出力ポート1005の一方の端子1007に近接するケーブルの導線1006に接続するように構成され、第2のヒューズ1003の他端は、定電流レギュレータ1004の出力ポート1005の他方の端子1008に近接するケーブルの導線1006に接続するように構成される。
【０１０２】
例えば、図10Bに示すように、光制御システム1000の第2のキャパシタ部1001は、第2のキャパシタ1002と第2のヒューズ1003とを含む。第2のキャパシタ1002の一端は第2のヒューズ1003の一端に接続され、第2のキャパシタ1002の他端および第2のヒューズ1003の他端は、定電流レギュレータ1004の出力ポート1005に近接するケーブルの導線1006に接続するように構成される。具体的には、第2のヒューズ1003の他端は、定電流レギュレータ1004の出力ポート1005の一方の端子1007に近接するケーブルの導線1006に接続するように構成され、第2のキャパシタ1002の他端は、定電流レギュレータ1004の出力ポート1005の他方の端子1008に近接するケーブルの導線1006に接続するように構成される。
【０１０３】
第2のキャパシタが故障すると、ループ全体が短絡され、光制御システムが正常に動作しなくなる。第2のキャパシタが第2のヒューズに直列に接続されている場合には、第2のキャパシタが故障した後に、第2のヒューズは過大な電流により遮断される。これにより、ループが短絡するのを防ぐことができ、それによって光制御システムの正常な動作を保証する。
【０１０４】
第2のキャパシタ部は、複数の第2のキャパシタと複数の第2のヒューズとを含んでもよいことに留意されたい具体的な接続方法は本明細書に限定されない。第2のキャパシタが故障したときに第2のヒューズが接続を遮断することを可能にする任意の接続方法を、本発明のこの実施形態に適用することができる。
【０１０５】
図11に示すように、本出願の一実施形態は、照明器具制御方法を提供する。本方法は、以下のステップを含む。
【０１０６】
ステップ1101：スレーブモニタは、ケーブルを使用してマスターモニタから第1の電力線搬送波信号を受信する。
【０１０７】
ステップ1102：スレーブモニタは、第1の電力線搬送波信号から復調を通して制御信号を取得する。
【０１０８】
ステップ1103：スレーブモニタは、制御信号に基づいて照明器具のオン／オフを制御する。
【０１０９】
スレーブモニタはケーブルに直接接続され、照明器具はスレーブモニタに接続される。
【０１１０】
スレーブモニタは、マスターモニタによって送信された電力線搬送波信号をケーブルを用いて直接受信し、照明器具を制御する。言い換えると、絶縁トランスを通過せずに電力線搬送波信号をスレーブモニタで受信することができるので、スレーブモニタで受信した電力線搬送波信号の減衰を効果的に抑制し、照明器具をより効率的に制御することができる。
【０１１１】
具体的には、スレーブモニタの概略構成図が図2および図3に示されており、ここでは詳細な説明を省略する。
【０１１２】
スレーブモニタが制御信号に基づいて照明器具のオン／オフを制御する場合、スレーブモニタは、絶縁トランスの二次出力端子と照明器具との間の接続を設定または遮断して、照明器具のオン／オフを制御する。
【０１１３】
明らかに、当業者は、本出願の範囲から逸脱することなく、本出願に対して様々な修正および変形を行うことができる。本出願は、添付の特許請求の範囲およびそれらと等価な技術によって規定される保護の範囲内に入るという条件で、本出願のこれらの修正および変形を包含することが意図されている。
【符号の説明】
【０１１４】
101  電源
102  定電流レギュレータ
103  絶縁トランス
103−1  絶縁トランス
104  マスターモニタ
105  航空灯
106  スレーブモニタ
107  二次出力端子
108  サーバ
200  光制御システム
201  マスターモニタ
202  スレーブモニタ
203  照明器具
204  定電流レギュレータ
205  電源
206  絶縁トランス
207  出力ポート
208  一次搬送波通信ポート
208A  通信ピン
208B  通信ピン
209  導線
210  接地媒体
211  第1の配線端子群
212  第2の配線端子群
213  接地端子
214  第1の電源端子
215  第2の電源端子
216  第1の配線端子
217  第2の配線端子
218  一次コイル
218A  第1の一次配線端子
218B  第2の一次配線端子
219  第3の配線端子
220  第4の配線端子
221  二次出力端子
222  ライトボックス
223  接地端
300  スレーブモニタ
301  光制御モジュール
302  コントローラ
303  PLCモジュール
304  デジタル通信ポート
305  搬送波通信ポート
306  第1の配線端子
307  接地端子
308  第1の電源端子
309  第2の電源端子
310  照明器具
311  導線
312  接地媒体
313  絶縁トランス
314  二次出力端子
315  第2の配線端子
316  第3の配線端子
317  第4の配線端子
318  一次コイル
318A  第1の一次配線端子
318B  第2の一次配線端子
400  光制御システム
401  マスターモニタ
402  スレーブモニタ
403  絶縁トランス
404  PLCモジュール
405  搬送波通信ポート
406  第1の配線端子
407  接地端子
408  導線
409  接地媒体
410  一次搬送波通信ポート
500  スレーブモニタ
501  第1のキャパシタ部
502  第2の配線端子
503  第3の配線端子
504  第4の配線端子
505  絶縁トランス
506A  第1の一次配線端子
506B  第2の一次配線端子
507  導線
600  スレーブモニタ
601  第1のキャパシタ部
602  第1のキャパシタ
603  第2の配線端子
604  第3の配線端子
605  第4の配線端子
606  絶縁トランス
607  一次コイル
607A  第1の一次配線端子
607B  第2の一次配線端子
608  導線
700  スレーブモニタ
701  第1のキャパシタ部
702  第1のキャパシタ
703  第1のヒューズ
704  第2の配線端子
705  第3の配線端子
706  第4の配線端子
707  絶縁トランス
708  一次コイル
709  導線
800  光制御システム
801  マスターモニタ
802  スレーブモニタ
803  第2のキャパシタ部
804  導線
805  定電流レギュレータ
806  出力ポート
900  光制御システム
901  第2のキャパシタ部
902  第2のキャパシタ
903  定電流レギュレータ
904  出力ポート
905  導線
1000  光制御システム
1001  第2のキャパシタ部
1002  第2のキャパシタ
1003  第2のヒューズ
1004  定電流レギュレータ
1005  出力ポート
1006  導線
1007  一方の端子
1008  他方の端子
【図１】
2019153584.tif 000003
【図２】
2019153584.tif 000004
【図３】
2019153584.tif 000005
【図４】
2019153584.tif 000006
【図５】
2019153584.tif 000007
【図６】
2019153584.tif 000008
【図７Ａ】
2019153584.tif 000009
【図７Ｂ】
2019153584.tif 000010
【図８】
2019153584.tif 000011
【図９】
2019153584.tif 000012
【図１０Ａ】
2019153584.tif 000013
【図１０Ｂ】
2019153584.tif 000014
【図１１】
2019153584.tif 000015
【外国語明細書】
2019153584000001.pdf